(57)【要約】【課題】ヒンジから本体部の内部への飲料の侵入を防ぐことができる情報処理装置を提供すること。【解決手段】本体部に表示部を開閉可能に支持するヒンジ４に本体部と表示部とを接続する制御／電源ケーブル、アンテナケーブルが通る配線溝４２Ａを形成した情報処理装置において、配線溝４２Ａと、配線溝４２Ａを通る制御／電源ケーブル、アンテナケーブルとの間にシール部材６を備えたので、ヒンジ４から本体部の内部への飲料の侵入を防ぐことができる。【選択図】図８
2012185663.tif 000002
【特許請求の範囲】
【請求項１】
本体部に表示部を開閉可能に支持するヒンジに本体部と表示部とを接続するケーブルが通る通路を形成した情報処理装置において、
前記通路と前記通路を通るケーブルとの間にシール部材を備えたことを特徴とする情報処理装置。
【請求項２】
前記シール部材は、前記通路の内壁面に形成した凸条が嵌る凹溝を有することを特徴とする請求項１に記載の情報処理装置。
【請求項３】
前記シール部材は、本体部を構成する筐体の内部に設けた起立壁に支持されたことを特徴とする請求項１または２に記載の情報処理装置。
【請求項４】
前記シール部材は、ヒンジの側面に設けたフランジに装着する装着部を有することを特徴とする請求項１〜３のいずれか一つに記載の情報処理装置。
【請求項５】
前記装着部は、前記フランジが嵌る凹溝を有することを特徴とする請求項４に記載の情報処理装置。
【請求項６】
前記装着部は、本体部を構成する上蓋が被覆することを特徴とする請求項４または５に記載の情報処理装置。
【発明の詳細な説明】
【技術分野】
【０００１】
本発明は、本体部と表示部とを接続し、表示部を開閉可能に支持するヒンジを備えた情報処理装置に関する。
【背景技術】
【０００２】
カップからこぼれた飲料がヒンジの周辺領域から電子部品の設置領域に侵入しないように、本体部の内部にヒンジの周辺領域と電子部品の設置領域とを隔てる起立壁を設けるとともに、ヒンジの周辺領域に排水口を設けた情報処理装置が提案されている（たとえば、特許文献１参照）。
【先行技術文献】
【特許文献】
【０００３】
【特許文献１】特開２００８−２５０６１７号公報
【発明の概要】
【発明が解決しようとする課題】
【０００４】
しかしながら、上述した情報処理装置は、本体部の内部に設けた起立壁がヒンジの周辺領域と電子部品の設置領域とを隔てるだけで、ヒンジから本体部の内部への飲料の侵入を防ぐことができない。
【０００５】
本発明は、上記に鑑みてなされたものであって、ヒンジから本体部の内部への飲料の侵入を防ぐことができる情報処理装置を提供することを目的とする。
【課題を解決するための手段】
【０００６】
上述した課題を解決し、目的を達成するために、本発明は、本体部に表示部を開閉可能に支持するヒンジに本体部と表示部とを接続するケーブルが通る通路を形成した情報処理装置において、前記通路と前記通路を通るケーブルとの間にシール部材を備えたことを特徴とする。
【０００７】
また、本発明は、上記発明において、前記シール部材が、前記通路の内壁面に形成した凸条が嵌る凹溝を有することを特徴とする。
【０００８】
また、本発明は、上記発明において、前記シール部材が、本体部を構成する筐体の内部に設けた起立壁に支持されたことを特徴とする。
【０００９】
また、本発明は、上記発明において、前記シール部材が、ヒンジの側面に設けたフランジに装着する装着部を有することを特徴とする。
【００１０】
また、本発明は、上記発明において、前記装着部は、前記フランジが嵌る凹溝を有することを特徴とする。
【００１１】
また、本発明は、上記発明において、前記装着部は、本体部を構成する上蓋が被覆することを特徴とする。
【発明の効果】
【００１２】
本発明にかかる情報処理装置は、通路と通路を通るケーブルとの間にシール部材を備えたので、ヒンジから本体部の内部への飲料の侵入を防ぐことができる。
【図面の簡単な説明】
【００１３】
【図１】図１は、本発明の実施の形態であるノートパソコンを示す斜視図である。
【図２】図２は、図１に示したノートパソコンの表示部を示す斜視図である。
【図３】図３は、シール部材を取り付けたヒンジを示す斜視図であって、ブラケット部側から見た斜視図である。
【図４】図４は、シール部材を取り付けたヒンジを示す斜視図であって、ヒンジ軸側から見た斜視図である。
【図５】図５は、シール部材を取り付けたヒンジを示す斜視図であって、配線溝側から見た斜視図である。
【図６】図６は、図１に示したノートパソコンのヒンジ取付構造を示す斜視図である。
【図７】図７は、図６に示したヒンジ取付構造の要部を示す斜視図である。
【図８】図８は、図７に示したヒンジ取付構造を示す断面図である。
【図９】図９は、図７に示したヒンジを示す斜視図である。
【図１０】図１０は、図７に示したシール部材を示す斜視図である。
【発明を実施するための形態】
【００１４】
以下に、本発明にかかる情報処理装置の実施の形態を図面に基づいて詳細に説明する。なお、この実施の形態によりこの発明が限定されるものではない。
【００１５】
図１は、本発明の実施の形態であるノートパソコンの外観を示す斜視図である。また、図２は、図１に示したノートパソコンの表示部を示す斜視図である。
【００１６】
図１に示すように、本発明の実施の形態であるノートパソコン１は、本体部２と表示部３とにより構成してある。また、本体部２と表示部３とは、ヒンジ４により接続してあり、ヒンジ４は、表示部３を本体部２に対して開閉可能に支持している。
【００１７】
また、図２に示すように、本体部２と表示部３とを接続するヒンジ４は、本体部２と表示部３とを接続するケーブル５を通す配線溝４２Ａ（図８参照）を有している。そして、図２において左側となるヒンジ４に設けた配線溝には、本体部２と表示部３を構成する液晶パネル３１との間で制御信号を送受信するとともに、液晶パネル３１に電源を供給するための制御／電源ケーブル５１Ｌと、本体部２と表示部３に内蔵した無線ＬＡＮ／ＷＡＮの無線通信アンテナ（図示せず）とを接続するアンテナケーブル５２とが通される。また、図２において右側となるヒンジ４に設けた配線溝４２Ａには、本体部２と表示部３を構成するＬＥＤバックライト（図示せず）との間で制御信号を送受信するとともに、ＬＥＤバックライトに電源を供給する制御／電源ケーブル５１Ｒと、本体部２と表示部３に内蔵した無線ＬＡＮ／ＷＡＮの無線通信アンテナ（図示せず）とを接続するアンテナケーブル５２とが通される。
【００１８】
図３〜図５は、シール部材を取り付けたヒンジを示す斜視図であって、図３はブラケット部側から見た斜視図、図４はヒンジ軸側から見た斜視図、図５は配線溝側から見た斜視図である。また、図６は、図１に示したノートパソコンのヒンジ取付構造を示す斜視図である。図７は、図６に示したヒンジ取付構造の要部を示す斜視図である。図８は、図７に示したヒンジ取付構造を示す断面図である。また、図９は、図７に示したヒンジを示す斜視図であり、図１０は、図７に示したシール部材を示す斜視図である。
【００１９】
ここでは、図１および図２において右側となるヒンジ４を図示して説明するが、左側となるヒンジ４は、右側となるヒンジ４と左右対称である点を除いて異なるところはないので説明を省略する。
【００２０】
図３〜図５に示すように、ヒンジ４は、ヒンジ本体４０、ヒンジ軸４３、ヒンジアーム４４を有している。
【００２１】
ヒンジ本体４０は、ブラケット部４１とハウジング部４２とからなり、ヒンジ本体４０の一部を構成するブラケット部４１は、ヒンジ本体４０を本体部２に取り付けるためのもので、直方体形状に形成してある。また、ブラケット部４１の下面には雌ネジ４１ａが形成してあり（図３参照）、ブラケット部４１の側面には雌ネジ４１ｂが形成してある（図５参照）。そして、図８に示すように、本体部２を構成する筐体２１の底壁を挿通した雄ネジがブラケット部４１の下面に設けた雌ネジ４１ａに螺合し、本体部２を構成する筐体２１の背壁を挿通した雄ネジがブラケット部４１の側面に設けた雌ネジ４１ｂに螺合することにより、ヒンジ本体４０は本体部２に取り付けられる。
【００２２】
ヒンジ本体４０の一部を構成するハウジング部４２は、ヒンジ軸４３を回動可能に支持するとともに、制御／電源ケーブル５１Ｒ（制御／電源ケーブル５１Ｌ）、アンテナケーブル５２を通すためのもので、ブラケット部４１の上に設けてある。図８に示すように、ハウジング部４２は、ヒンジ軸４３の軸方向に延在した細長い直方体形状に形成してあり、その外側（図８において右側）となる一端側には、ヒンジ軸４３を支承する軸穴４２Ｂが設けてある。また、ハウジング部４２の内側となる他端側（図８において左側）には、制御／電源ケーブル５１Ｒ（制御／電源ケーブル５１Ｌ）、アンテナケーブル５２を通す配線溝４２Ａが設けてある。図８に示すように、配線溝４２Ａの中心軸は、軸穴４２Ｂの軸線と略一致しており、表示部３を開閉しても制御／電源ケーブル５１Ｒ（制御／電源ケーブル５１Ｌ）、アンテナケーブル５２に大きな負荷が作用することはない。また、図８および図９に示すように、配線溝４２Ａの開放側端部となる内壁面には、後述するシール部材６を装着するための凸条４２Ａ１が形成してある。
【００２３】
図８に示すように、ヒンジ軸４３は、表示部３を開閉可能に支持するためのもので、ハウジング部４２に設けた軸穴４２Ｂに支承してある。また、ヒンジ軸４３と軸穴４２Ｂとの間には、適度な摺動抵抗が作用し、表示部３を任意の位置で支持する一方、表示部３に適度な操作力を作用させることにより、表示部を任意の位置まで開閉させることができる。また、図３〜図５に示すように、ヒンジ軸４３の開放端部には、表示部３を取り付けるための、取付部４３Ａが設けてある。取付部４３Ａには、表示部３を構成する液晶パネル３１を取り付けるためのネジ穴４３Ａ１が設けてある。
【００２４】
ヒンジアーム４４は、表示部３を取り付けるためのもので、ヒンジ軸４３の取付部４３Ａの側面に取り付けてある。また、ヒンジアーム４４には、表示部３が取り付けられ、ヒンジアーム４４に作用した操作力がヒンジ軸４３に確実に伝達される。
【００２５】
また、上述した配線溝４２Ａと配線溝４２Ａを通る制御／電源ケーブル５１Ｒ（制御／電源ケーブル５１Ｌ）、アンテナケーブル５２との間には、シール部材６が設けてある。シール部材６は、配線溝４２Ａと制御／電源ケーブル５１Ｒ（制御／電源ケーブル５１Ｌ）、アンテナケーブル５２との間から飲料が侵入する事態を防ぐためのもので、弾性変形可能な材料、たとえば、ゴムにより構成してある。また、シール部材６は、ケーブル枠部６Ａ、開放枠部６ａ、装着部（側枠部６ｂ、端枠部６ｃ）を有している。
【００２６】
図８に示すように、ケーブル枠部６Ａは、上述した凸条４２Ａ１に装着される部分であり、その外周には、凸条４２Ａ１が嵌る凹溝６Ａ２を有している。また、図１０に示すように、ケーブル枠部６Ａの中心には、ケーブル穴６Ａ１が設けてある。ケーブル穴６Ａ１は、配線溝４２Ａを通る制御／電源ケーブル５１Ｒ（制御／電源ケーブル５１Ｌ）、アンテナケーブル５２を通すための穴であり、たとえば、大径の制御／電源ケーブル５１Ｒ（制御／電源ケーブル５１Ｌ）が１本、小径のアンテナケーブル５２が３本、通るだけの大きさに形成してある。また、ケーブル穴６Ａ１の上部にスリットを設けることにより、ケーブル穴６Ａ１とケーブル枠部６Ａの外部とが連通しており、ケーブル枠部６Ａの外側からケーブル穴６Ａ１に制御／電源ケーブル５１Ｒ（制御／電源ケーブル５１Ｌ）、アンテナケーブル５２を通すことが可能である。
【００２７】
図８に示すように、開放枠部６ａは、ケーブル枠部６Ａの下部に設けられ、筐体２１に設けた起立壁２１Ａに支持される。装着部（側枠部６ｂ、端枠部６ｃ）は、ハウジング部４２の外周二辺（本体部２の内側に面する側面とヒンジ軸４３が設けられた端面）に設けたフランジ４２ｂ，４２ｃ（図９参照）に装着する部分であり、図１０に示すように、側枠部６ｂと端枠部６ｃとを有している。側枠部６ｂは、開放枠部６ａの端部からハウジング部４２の側面（本体部２の内側に面する側面）に沿って設けられ、その内側には、ハウジング部４２の側面に設けたフランジ４２ｂが嵌る凹溝６ｂ１が設けてある。端枠部６ｃは、側枠部６ｂの端部からハウジング部４２の端面（ヒンジ軸が設けられた端面）に沿って設けられ、その内側には、ハウジング部４２の端面に設けたフランジ４２ｃが嵌る凹溝６ｃ１が設けてある。
【００２８】
また、図６および図７に示すように、シール部材６の装着部のまわりは、本体部２を構成する上蓋２２により被覆してある。上蓋２２の下面には、シール部材６の開放枠部６ａ、側枠部６ｂ、端枠部６ｃに密着するリブが設けてあり、上蓋２２とシール部材６との間から本体部２の内部への飲料の侵入を防いでいる。
【００２９】
上述した本発明の実施の形態であるノートパソコン１は、配線溝４２Ａと配線溝４２Ａを通る制御／電源ケーブル５１Ｒ（制御／電源ケーブル５１Ｌ）、アンテナケーブル５２との間にシール部材６を備えたので、カップからこぼれた飲料がヒンジ４にかかっても、ヒンジ４から本体部２の内部への飲料の侵入を防ぐことができる。
【００３０】
また、シール部材６のケーブル枠部６Ａには、配線溝４２Ａの開放側端部となる内壁面に形成した凸条４２Ａ１が嵌る凹溝６Ａ２が形成してあるので、シール部材６のケーブル枠部６Ａは位置決めされ、シール部材６のケーブル枠部６Ａと配線溝４２Ａの内壁面との間からの飲料の侵入を防ぐことができる。
【００３１】
また、シール部材６の開放枠部６ａは、本体部２を構成する筐体２１の内部に設けた起立壁２１Ａに支持されるので、シール部材６の開放枠部６ａと起立壁２１Ａとの間からの飲料の侵入を防ぐことができる。
【００３２】
また、シール部材６は、ハウジング部４２の側面に設けたフランジ４２ｂ、４２ｃに装着する装着部（側枠部６ｂ、端枠部６ｃ）を有するので、ヒンジ４にシール部材６を装着した状態でヒンジ４を筐体２１に取り付けることができる。
【００３３】
また、装着部（側枠部６ｂ、端枠部６ｃ）は、フランジ４２ｂ、４２ｃが嵌る凹溝６ｃ１を有するので、ヒンジ４に取り付けたシール部材６は脱落しにくくなる。
【００３４】
また、装着部（側枠部６ｂ、端枠部６ｃ）は、本体部２を構成する上蓋２２が被覆するとともに、上蓋２２に設けたリブが装着部（側枠部６ｂ、端枠部６ｃ）に密着し、上蓋２２と装着部（側枠部６ｂ、端枠部６ｃ）との間からの飲料の侵入を防ぐことができる。
【００３５】
さらに、ヒンジ本体４０の一部を構成するブラケット部４１は、本体部２を構成する筐体２１の底壁を挿通した雄ネジと、本体部２を構成する筐体２１の背壁を挿通した雄ネジとにより固定され、シール部材６を構成する開放枠部６ａと側枠部６ｂとは、本体部の筐体２１の起立壁２１Ａと強固に密着し、飲料の侵入を防いでいる。
【符号の説明】
【００３６】
１    ノートパソコン（情報処理装置）
２    本体部
２１    筐体
２１Ａ    起立壁
２２    上蓋
３    表示部
３１    液晶パネル
４    ヒンジ
４０    ヒンジ本体
４１    ブラケット部
４１ａ    雌ネジ
４１ｂ    雌ネジ
４２    ハウジング部
４２Ａ    配線溝（通路）
４２Ａ１    凸条
４２ｂ，４２ｃ    フランジ
４３    ヒンジ軸
４３Ａ    取付部
４３Ａ１    ネジ穴
４４    ヒンジアーム
５    ケーブル
５１Ｌ，５１Ｒ    制御／電源ケーブル
５２    アンテナケーブル
６    シール部材
６Ａ    ケーブル枠部
６Ａ１    ケーブル穴
６Ａ２    凹溝
６ａ    開放枠部
６ｂ    側枠部
６ｂ１    凹溝
６ｃ    端枠部
６ｃ１    凹溝
【図１】
2012185663.tif 000003
【図２】
2012185663.tif 000004
【図３】
2012185663.tif 000005
【図４】
2012185663.tif 000006
【図５】
2012185663.tif 000007
【図６】
2012185663.tif 000008
【図７】
2012185663.tif 000009
【図８】
2012185663.tif 000010
【図９】
2012185663.tif 000011
【図１０】
2012185663.tif 000012